(57)【特許請求の範囲】
【請求項１】
透液性表面シートと不透液性裏面シートとの間に吸液性コアが介在し、縦方向に前胴周り域と、後胴周り域と、前記前後胴周り域の間に位置する股下域とが形成され、前記コアの中央領域に位置して前記前後胴周り域の間を前記縦方向へ延びる第１弾性伸縮性部材が、前記裏面シートと前記コアとの間に介在し、前記裏面シートに伸長状態で接合された使い捨ておむつにおいて、
前記コアの両側領域に位置して前記前後胴周り域の間を前記縦方向へ延びる第２弾性伸縮性部材が、前記裏面シートと前記コアとの間に介在し、前記裏面シートに伸長状態で接合されており、
前記第１弾性伸縮性部材と前記第２弾性伸縮性部材とが、前記前胴周り域に位置する前端部と、前記後胴周り域に位置する後端部とを有し、それら弾性伸縮性部材の前端部と後端部とが前記裏面シートに接合され、前記前端部と前記後端部との間の部位が前記裏面シートに接合されていないことを特徴とする前記おむつ。
【請求項２】
前記おむつが、前記コアの両側領域近傍に位置して前記縦方向へ延び、前記おむつの内面から起立性向を有する一対の防漏カフを備え、前記カフが、前記コアの両側領域近傍における前記おむつの内面に接合されて前記縦方向へ延びる固定側部と、前記股下域に位置して前記固定側部から前記おむつの横方向内方へ向って延びる自由側部と、前記おむつの前後胴周り域に位置して前記おむつの横方向外方と横方向内方とのいずれか一方に倒伏された状態で前記おむつの内面に接合された固定両端部とを有し、前記自由側部が前記縦方向へ弾性的な伸縮性を有する請求項１記載のおむつ。
【請求項３】
前記コアの中央領域と前記コアの両側領域とにおける前記コアの厚み寸法が、前記中央領域と前記両側領域とを除く前記コアの残余の領域のそれよりも薄くなっている請求項１または請求項２記載のおむつ。
【発明の詳細な説明】
【０００１】
【発明の属する技術分野】
本発明は、排泄された体液を吸収、保持する使い捨ておむつに関する。
【０００２】
【従来の技術】
特開平１１−１８８０５６号公報は、透液性表面シートと、不透液性裏面シートと、それらシートの間に介在する吸液性コアとを有し、それらシートの縦方向が前胴周り域と、後胴周り域と、それら前後胴周り域の間に位置する股下域とから形成され、コアの中央領域に位置して前後胴周り域の間を縦方向へ延びる弾性伸縮性部材が、裏面シートとコアとの間に介在し、裏面シートに伸長状態で接合された使い捨ておむつを開示している。弾性部材の張力で支えられたおむつの股下域は、弾性部材の位置に対応するコアの中央領域が盛り上がり、中央領域を除くコアの両側領域がたるんだままで横方向の断面が逆Ｖ字状を呈する。おむつは、股下域を逆Ｖ字状にすることで、実質的に股下域に位置するコアの横方向の寸法を縮めたことになり、着用時に着用者の両脚で股下域が締め付けられても、股下域が不規則に変形することはなく、排泄物のコアへの吸収を効率的に行うことができる。
【０００３】
【発明が解決しようとする課題】
同号公報に開示のおむつは、コアの両側領域がおむつの下方へたるんだままなので、排泄物がコアの中央領域からコアの両側領域の方向へ流動し易く、表面シート上を流動してコアの両側領域へ到達した排泄物が、股下域から漏れてしまうことがある。同号公報に開示のおむつは、コアの両側領域近傍に排泄物を堰き止めるための防漏カフを取り付けている。しかし、コアの両側領域がおむつの下方へたるんでいると、おむつを着用したときにカフの自由側部がおむつの横方向外方へ傾斜した状態で起立し、カフの自由側部がおむつの外側へ倒れてしまうことがあり、カフがその防漏機能を発揮することができない場合がある。
【０００４】
本発明の課題は、前後胴周り域の間を縦方向へ延びる弾性部材の張力でコアの中央領域が盛り上がったとしても、コアの両側領域がおむつの下方へたるむことがなく、排泄物の横漏れを防ぐことができる使い捨ておむつを提供することにある。
【０００５】
【課題を解決するための手段】
前述した課題を解決するための本発明は、透液性表面シートと不透液性裏面シートとの間に吸液性コアが介在し、縦方向に前胴周り域と、後胴周り域と、前記前後胴周り域の間に位置する股下域とが形成され、前記コアの中央領域に位置して前記前後胴周り域の間を前記縦方向へ延びる第１弾性伸縮性部材が、前記裏面シートと前記コアとの間に介在し、前記裏面シートに伸長状態で接合された使い捨ておむつを改良することにある。
【０００６】
改良にかかる本発明の特徴は、前記コアの両側領域に位置して前記前後胴周り域の間を前記縦方向へ延びる第２弾性伸縮性部材が、前記裏面シートと前記コアとの間に介在し、前記裏面シートに伸長状態で接合されており、前記第１弾性伸縮性部材と前記第２弾性伸縮性部材とが、前記前胴周り域に位置する前端部と、前記後胴周り域に位置する後端部とを有し、それら弾性伸縮性部材の前端部と後端部とが前記裏面シートに接合され、前記前端部と前記後端部との間の部位が前記裏面シートに接合されていないことにある。
【０００７】
【０００８】
本発明の実施の態様の他の一例としては、前記おむつが、前記コアの両側領域近傍に位置して前記縦方向へ延び、前記おむつの内面から起立性向を有する一対の防漏カフを備え、前記カフが、前記コアの両側領域近傍における前記おむつの内面に接合されて前記縦方向へ延びる固定側部と、前記股下域に位置して前記固定側部から前記おむつの横方向内方へ向って延びる自由側部と、前記おむつの前後胴周り域に位置して前記おむつの横方向外方と横方向内方とのいずれか一方に倒伏された状態で前記おむつの内面に接合された固定両端部とを有し、前記自由側部が前記縦方向へ弾性的な伸縮性を有する。
【０００９】
本発明の実施の態様の他の一例としては、前記コアの中央領域と前記コアの両側領域とにおける前記コアの厚み寸法が、前記中央領域と前記両側領域とを除く前記コアの残余の領域のそれよりも薄くなっている。
【００１０】
【発明の実施の形態】
添付の図面を参照して、本発明に係る使い捨ておむつの詳細を説明すると、以下のとおりである。
【００１１】
図１，２は、使い捨ておむつ１の部分破断斜視図と、図１のＡ−Ａ線矢視断面図とであり、図２では、着用状態にあるときのおむつ１を示す。おむつ１は、透液性表面シート２と、不透液性裏面シート３と、表面シート２と裏面シート３との間に介在し、それらシート２，３の少なくとも一方の内面に接合されたマット状の吸液性コア４とを主要な構成部材とする。おむつ１は、縦方向が前胴周り域２０と、後胴周り域２２と、前後胴周り域２０，２２の間に位置する股下域２１とから形成され、互いに並行して縦方向へ延び、股下域２１においておむつ１の横方向内方へ向って弧を画く両側縁部１ａと、互いに並行して横方向へ延びる両端縁部１ｂとを有する。おむつ１には、コア４の両側領域４ｂ近傍に位置して縦方向へ延びる一対の防漏カフ５が取り付けられている。
【００１２】
おむつ１には、コア４の中央領域４ａに位置する一条の第１弾性伸縮性部材６と、コア４の両側領域４ｂに位置する一対の第２弾性伸縮性部材７とが前胴周り域２０と後胴周り域２２との間を縦方向へ延びている。
【００１３】
第１弾性部材６は、前胴周り域２０に位置する前端部６ａと、後胴周り域２２に位置する後端部６ｂと、股下域２１に位置する中央部６ｃとを有する。第１弾性部材６は、裏面シート３とコア４の間に介在し、おむつ１の縦方向へ伸長された状態で前端部６ａと後端部６ｂとが裏面シート３に接合されている。第１弾性部材６の中央部６ｃは、裏面シート３とコア４とのいずれにも接合されていない。
【００１４】
第２弾性部材７各々は、前胴周り域２０に位置する前端部７ａと、後胴周り域２２に位置する後端部７ｂと、股下域２１に位置する中央部７ｃとを有する。第２弾性部材７は、裏面シート３とコア４の間に介在し、おむつ１の縦方向へ伸長された状態で前端部７ａと後端部７ｂとが裏面シート３に接合されている。第２弾性部材７の中央部７ｃは、裏面シート３とコア４とのいずれにも接合されていない。
【００１５】
防漏カフ５は、コア４の両側領域４ｂ近傍に位置し、表面シート２の上面に接合されて縦方向へ延びる固定側部５ａと、股下域２１に位置しておむつ１の横方向内方へ向って延び、おむつ１の上方へ起立性向を有する自由側部５ｂと、おむつ１の横方向内方へ倒伏された状態でおむつ１の前後胴周り域２０，２２に位置する表面シート２の上面に接合された固定両端部５ｃとを有する。防漏カフ５の自由側部５ｂには、縦方向へ延びる弾性伸縮性部材８が自由側部５ｂの一部に被覆された状態で伸長下に取り付けられている。
【００１６】
おむつ１の両側縁部１ａには、縦方向へ延びる脚周り用弾性伸縮性部材９が裏面シート３の両側部分とカフ５の固定側部５ａからおむつ１の横方向外方へ延びるカフ５の両側部分との間に介在し、裏面シート３の両側部分とカフ５の両側部分とのうちの少なくとも一方の内面に伸長状態で取り付けられている。
【００１７】
おむつ１の後胴周り域２２の端縁部１ｂには、横方向へ延びるフィルム状の胴周り用弾性部材１０が表面シート２と裏面シート３との間に介在し、それらシート２，３の少なくとも一方の内面に伸長状態で取り付けられている。おむつ１の後胴周り域２２における両側縁部１ａには、横方向内方へ延びるテープファスナ１１の基端部が取り付けられている。おむつ１の前胴周り域２０における裏面シート３の外面には、テープファスナ１１の止着域となる矩形のターゲットテープ（図示せず）が取り付けられている。
【００１８】
おむつ１の両側縁部１ａでは、表面シート２の両側部分がコア４の両側領域４ｂの外側近傍で終わり、表面シート２の両側部分からさらに横方向外方へ裏面シート３の両側部分とカフ５の両側部分とが延び、表裏シート２，３とカフ５との両側部分が互いに重なり合った状態で接合されている。
【００１９】
図１では、脚周り用弾性部材９と胴周り用弾性部材１０とカフ５の自由側部５ｂに取り付けられた弾性部材８との伸長状態が解除され、おむつ１の両側縁部１ａとおむつ１の両端縁部１ｂとカフ５の自由側部５ｂとに沿ってギャザーが形成されている。おむつ１は、その内面を内側にして縦方向へ湾曲し、カフ５の自由側部５ｂに取り付けられた弾性部材８が収縮してカフ５の自由側部５ｂがおむつ１の内面から起立している。おむつ１では、カフ５の自由側部５ｂと表面シート２とがおむつ１の横方向内方へ向かって開口するポケットＰを形成している。
【００２０】
おむつ１は、テープファスナ１１各々の自由端部の内面に塗布された粘着剤（図示せず）を介して、ターゲットテープにテープファスナ１１の自由端部を止着すると、左右一対の脚周り開口１２と、胴周り開口１３とが形成される。おむつ１の着用時では、股下域２１に位置するおむつ１の両側縁部１ａが脚周りを形成し、前後胴周り域２２の両端縁部１ｂが胴周りを形成する。
【００２１】
おむつ１の股下域２１は、一般的におむつ１の下方へ湾曲してたるんだ状態になる。おむつ１の着用時では、図２に示すように、第１弾性部材６と第２弾性部材７との前後端部６ａ，６ｂ，７ａ，７ｂ各々がおむつ１の縦方向へ引っ張られ、第１弾性部材６と第２弾性部材７とが前後胴周り域２２の間において縦方向へ伸長された状態になる。伸長された第１弾性部材６と第２弾性部材７とは、おむつ１の非着用時と比較しておむつ１の縦方向へ強い張力を発生させる。おむつ１は、股下域２１に位置するコア４の中央領域４ａと両側領域４ｂとが第１弾性部材６と第２弾性部材７との中央部６ｃ，７ｃ各々に支えられ、股下域２１のたるみがコア４の中央領域４ａと両側領域４ｂとにおいておむつ１の上方へ盛り上げられた状態になる。
【００２２】
おむつ１では、第１弾性部材６と第２弾性部材７との中央部６ｃ，７ｃとが裏面シート３とコア４とのいずれにも接合されていないので、それら弾性部材６，７の中央部６ｃ，７ｃの伸長が裏面シート３とコア４とに拘束されることはなく、伸長されたそれら弾性部材６，７の中央部６ｃ，７ｃにおいてコア４の中央領域４ａと両側領域４ｂとを確実に支えることができる。
【００２３】
図３は、図１のＢ−Ｂ線矢視断面図であり、非着用状態にあるおむつ１を実線で示し、着用状態にあるおむつ１を仮想線で示す。コア４は、第１弾性部材６が位置する中央領域４ａと第２弾性部材７が位置する両側領域４ｂとの厚み寸法が、コア４の中央領域４ａと両側領域４ｂとを除いた残余の領域のそれよりも薄くなっている。ゆえに、コア４の中央領域４ａと両側領域４ｂとにおけるコア４の剛性が残余の領域のそれよりも小さく、コア４の中央領域４ａと両側領域４ｂとはコア４の残余の領域と比較して湾曲し易い。
【００２４】
おむつ１は、股下域２１が横方向へほぼ水平に延びていて非着用状態においてもおむつ１の下方へわずかなたるみが生じている。たるみは、第１弾性部材６と第２弾性部材７との中央部６ｃ，７ｃによって支えられるが、それら弾性部材６，７が股下域２１におけるコア４の中央領域４ａとコア４の両側領域４ｂとをおむつ１の上方へ盛り上げることはない。
【００２５】
おむつ１の着用時では、縦方向へ伸長された第１弾性部材６と第２弾性部材７の張力で股下域２１に位置するコア４の中央領域４ａとコア４の両側領域４ｂとが盛り上がり、図３に仮想線で示すように、断面形状がＷ字状を呈する。おむつ１の股下域２１をＷ字状に湾曲させることは、股下域２１に位置するコア４の横方向の寸法を実質的に縮めることになり、着用時に着用者の両脚でおむつ１の股下域２１が締め付けられても、股下域２１が不規則に変形することはない。また、排泄物が表面シート２上をコア４の中央領域４ａからコア４の両側領域４ｂへ流動したとしても、コア４の両側領域４ｂがおむつ１の上方へ盛り上がっているので、コア４の両側領域４ｂが排泄物に対する障壁となり、排泄物の横漏れを防ぐことができる。
【００２６】
カフ５の固定側部５ａは、第２弾性部材７の張力によって盛り上げられたコア４の両側領域４ｂ近傍に位置しているので、カフ５の自由側部５ｂがおむつ１の上方へほぼ垂直に、または、おむつ１の横方向内方へわずかに傾斜した状態で起立することができ、カフ５の自由側部５ｂがおむつ１の外側へ倒れてしまうことを防ぐことができる。また、カフ５は、その自由側部５ｂがコア４の両側領域４ｂ近傍から立ち上がることで、カフ５の固定側部５ａと自由側部５ｂとの間の寸法が短いものであっても、防漏機能を十分に発揮することができる。おむつ１は、カフ５のみならずコア４の両側領域４ｂが障壁を形成するので、カフ５の自由側部５ｂとコア４の両側領域４ｂとが相俟って防漏機能を向上させることができる。
【００２７】
おむつ１では、第１弾性部材６と第２弾性部材７とがおむつ１の縦方向へ伸長された状態で、それら弾性部材６，７の前後端部６ａ，６ｂ，７ａ，７ｂが裏面シート３に接合されるとともに、それら弾性部材６，７の中央部６ｃ，７ｃが裏面シート３に間欠的に接合されていてもよい。また、第１弾性部材６と第２弾性部材７とが位置するコア４の中央領域４ａと両側領域４ｂとのコア４の厚みが、中央領域４ａと両側領域４ｂとを除く残余の領域のそれと同一であってもよい。
【００２８】
表面シート２には、透液性の不織布や開孔プラスチックフィルム、好ましくは透液性であって親水性のシートが使用される。裏面シート３には、疎水性の不織布、不透液性のプラスチックフィルム、疎水性の不織布とプラスチックフィルムとのラミネートシート、好ましくは通気不透液性シートが使用される。カフ５には、疎水性の不織布、好ましくは通気不透液性シートが使用される。
【００２９】
不織布としては、スパンレース、ニードルパンチ、メルトブローン、サーマルボンド、スパンボンド、ケミカルボンド等の不織布を使用することができる。また、高い耐水性を有するメルトブローン不織布の両面を、高い強度を有しかつ柔軟性に富んだスパンボンド不織布で挟んだ複合不織布（ＳＭＳ不織布）を使用することもできる。ＳＭＳ不織布は、メルトブローン不織布をスパンボンド不織布で挟んだ後、プレス加工の技術を利用してメルトブローン不織布とスパンボンド不織布とを互いに固着して製造される。不織布の構成繊維としては、ポリオレフィン系、ポリエステル系、ポリアミド系、の各繊維、ポリエチレン／ポリプロピレンまたはポリエステルの複合繊維等を使用することができる。
【００３０】
コア４は、フラッフパルプと高吸収性ポリマー粒子との混合物であり、所要の厚みに圧縮され、全体がティシュペーパ等の透水性シート（図示せず）によって被覆されている。第１弾性部材６と第２弾性部材７とには、天然ゴムまたは合成ゴムのテープ状、メッシュ状、糸状のもの、合成ゴムを主成分とした伸縮性不織布のテープ、ウレタンフォームのテープ等を使用することができる。このおむつ１を構成する部材各々の接合や取り付けには、ホットメルト接着剤等の接着剤や粘着剤または熱融着の技術を利用することができる。
【００３１】
【発明の効果】
本発明に係る使い捨ておむつによれば、おむつの着用時におむつの股下域が断面Ｗ字状に湾曲するので、コアの横方向の寸法を実質的に縮めたことになり、おむつの股下域が着用者の両脚で占め付けられたとしても、股下域が不規則に変形することを防ぐことができる。
【００３２】
コアの両側領域は、おむつの着用時に伸長された第２弾性伸縮性部材の張力によっておむつの上方へ盛り上がり、おむつの下方へたるむことがない。コアの両側領域が排泄物に対する障壁を形成し、排泄物の横漏れを防ぐことができる。
【００３３】
防漏カフを取り付けたおむつでは、カフの固定側部が第２弾性伸縮性部材の張力によって盛り上げられたコアの両側領域近傍に接合されているので、カフの自由側部がおむつの上方へほぼ垂直に、または、おむつの横方向内方へわずかに傾斜した状態で起立し、カフの自由側部がおむつの外側へ倒れてしまうことを防ぐことができる。また、カフは、その自由側部がコアの両側領域近傍から立ち上がることで、カフの固定側部と自由側部との間の寸法が短いものであっても、防漏機能を十分に発揮することができる。
【図面の簡単な説明】
【図１】使い捨ておむつの部分破断斜視図。
【図２】図１のＡ−Ａ線矢視断面図。
【図３】図１のＢ−Ｂ線矢視断面図。
【符号の説明】
１          使い捨ておむつ
２          透液性表面シート
３          不透液性裏面シート
４          吸液性コア
４ａ        中央領域
４ｂ        両側領域
５          防漏カフ
５ａ        固定側部
５ｂ        自由側部
５ｃ        固定両端部
６          第１弾性伸縮性部材
６ａ        前端部
６ｂ        後端部
６ｃ        中央部（部位）
７          第２弾性伸縮性部材
７ａ        前端部
７ｂ        後端部
７ｃ        中央部（部位）
２０          前胴周り域
２１          股下域
２２          後胴周り域
【図１】
0003557141.tif 000002
【図２】
0003557141.tif 000003
【図３】
0003557141.tif 000004